(57)【要約】【課題】従来のカプセルと同じように視認性等を確保しながら、誤飲の際の窒息を防止し、割れ難く、さらには材料の使用量の低減やＣＯ２削減にも答えられる。【解決手段】一対のカプセルピース３、９が互いに嵌合されてなる。各カプセルピースの壁体は軟質の合成樹脂、例えばポリプロピレンで形成され、骨組み構造体になっている。この骨組み構造体は、頂部１５またはその近傍から放射状に延びる放射状部と、隣合う放射状部どうしを繋ぐ連結部と、開口端面部５、１１とからなる。軟質の合成樹脂からなるので骨組み構造体は割れ難く、多数の開口部２５がどの方向にも向いており、且つ各開口部２５は十分な大きさになっているので、誤飲の際にも窒息を防止できる。また、骨組み構造体を構成する樹脂は通常曇ったものが多いが、開口部２５から収納されたミニチュアフィギュア等を視認できるので問題ない。さらには、材料の試料量の低減等にも答えられる。【選択図】        図１
2011170396.tif 000002
【特許請求の範囲】
【請求項１】
一対のカプセルピースが互いに嵌合されてなる物品収納用カプセルにおいて、各カプセルピースの壁体は軟質の合成樹脂で形成され、骨組み構造体とその間の開口部で構成されていることを特徴とする物品収納用カプセル。
【請求項２】
請求項１に記載した物品収納用カプセルにおいて、
各カプセルピースの骨組み構造体は、頂部またはその近傍から放射状に延びる放射状部と隣合う放射状部どうしを繋ぐ連結部からなることを特徴とする物品収納用カプセル。
【請求項３】
請求項１または２に記載した物品収納用カプセルにおいて、
壁体の開口度は５５〜７５％であることを特徴とする物品収納用カプセル。
【請求項４】
請求項１から３のいずれかに記載した物品収納用カプセルにおいて、
各カプセルピースの壁体はポリプロピレンで形成されていることを特徴とする物品収納用カプセル。
【請求項５】
請求項１から４のいずれかに記載した物品収納用カプセルにおいて、
物品が小型玩具、おもちゃアクセサリー、消しゴム等の小物品であることを特徴とする物品収納用カプセル。
【発明の詳細な説明】
【技術分野】
【０００１】
本発明は物品収納用カプセルに係り、特にカプセル自動販売機で多く販売される小物品を収納するカプセルに関するものである。
【背景技術】
【０００２】
特許文献１に記載されたカプセル自動販売機では、ミニチュアフィギュアやアクセサリー等の小型玩具、さらには消しゴムなどと言った種々の小物品が収納されたカプセルが多数収容されており、金銭の投入等所定の操作が行われると何れかのカプセルが取出口に払出されるようになっている。
カプセルは合成樹脂製の一対のカプセルピースが互いに嵌合されてなる２ピースタイプが主流であり、一方のカプセルピースは硬質のポリスチレン等で形成され、他方のカプセルピースは軟質のポリプロピレン等で形成されている。ポリスチレン等で形成される一方のカプセルを全透明にできるため、販売機内を外部から観察したときにカプセルに収納されている小物品を視認でき、購入者の射幸心を上手く煽ることができる。
【先行技術文献】
【特許文献】
【０００３】
【特許文献１】特開２００７−２７９９３８号公報
【発明の概要】
【発明が解決しようとする課題】
【０００４】
而して、最近では、子供の誤飲が問題になっており、上記したカプセルにおいても誤飲対策として通気孔を設けて誤って飲み込んだ場合にも窒息を防げるようにしている。しかしながら、硬質のポリスチレン等で形成されるカプセルピース側に通気孔を設けるのは難しく、通気孔の位置はカプセルピースの頂部側に限られてしまうため、飲み込んだ状態によっては通気孔としての機能を果たし得ない場合がある。
また、硬質のポリスチレン等で形成されるカプセルピース側は踏むなどすると割れることもあった。
さらに、最近では、材料の使用量の低減やＣＯ２削減が、環境保護の観点から強く要請されている。
【０００５】
本発明は、上記した課題を解決するものであり、通気孔をどの方向にも形成でき、且つ割れ難く、さらには環境保護を考慮したカプセルを提供することを目的とする。
【課題を解決するための手段】
【０００６】
本発明は上記課題を解決するためになされたものであり、請求項１の発明は、  一対のカプセルピースが互いに嵌合されてなる物品収納用カプセルにおいて、各カプセルピースの壁体は軟質の合成樹脂で形成され、骨組み構造体とその間の開口部で構成されていることを特徴とする物品収納用カプセルである。
【０００７】
請求項２の発明は、請求項１に記載した物品収納用カプセルにおいて、カプセルピースの骨組み構造体は、頂部またはその近傍から放射状に延びる放射状部と隣合う放射状部どうしを繋ぐ連結部からなることを特徴とする物品収納用カプセルである。
【０００８】
請求項３の発明は、請求項１または２に記載した物品収納用カプセルにおいて、壁体の開口度は５５〜７５％であることを特徴とする物品収納用カプセルである。
【０００９】
請求項４の発明は、請求項１から３のいずれかに記載した物品収納用カプセルにおいて、各カプセルピースの壁体はポリプロピレンで形成されていることを特徴とする物品収納用カプセルである。
【００１０】
請求項５の発明は、請求項１から４のいずれかに記載した物品収納用カプセルにおいて、物品が小型玩具、おもちゃアクセサリー、消しゴム等の小物品であることを特徴とする物品収納用カプセルである。
【発明の効果】
【００１１】
本発明の物品収納用カプセルは、通気孔をどの方向にも形成でき、しかも割れ難く、さらには環境保護上の要請にも答えられる。
【図面の簡単な説明】
【００１２】
【図１】本発明の実施の形態に係る物品収納用カプセルを開いた状態の斜視図である。
【図２】図１の物品収納用カプセルの上面図である。
【図３】図１の物品収納用カプセルの側面図である。
【図４】図１の物品収納用カプセルに小型玩具のミニチュアフィギュアを入れた状態を示す上面図である。
【発明を実施するための形態】
【００１３】
本発明の実施の形態に係る物品収納用カプセル１を図面にしたがって説明する。
物品収納用カプセル１は、カプセル自動販売機で販売されている、小物品入りカプセルである。
図１に示すように、物品収納用カプセル１の壁体は総じて薄肉で略球状を為している。物品収納用カプセル１は、一対の半球状のカプセルピース３、９が組合わされてなる。
一方のカプセルピース３の環状の開口端面部５の端面は内周側が外周側より一段分だけ突出して環状突起７になっている。他方のカプセルピース９の環状の開口端面部１１の内周面には環状凹部１２が形成されている。
物品収納用カプセル１は、カプセルピース３の開口端面部５の環状突起７に他方のカプセルピース９の環状の開口端面部１１が外嵌されて一体になっている。それぞれの嵌合面は弾性的に圧接しているので、カプセルピース３とカプセルピース９は強固に連結された状態となっている。
【００１４】
カプセルピース３、９の壁体は、開口端面部５、１１を除くと、同じ骨組み構造体になっているので、以下ではカプセルピース３を主に取り上げながら、図２、３にしたがって詳細に構造を説明する。
符号１３は４つの放射状部を示し、放射状部１３はカプセル頂部１５から開口端面部５に向かって略等間隔で上下左右方向に放射状に延びている。したがって、カプセル頂部１５側から見ると、全体として十字状を為している。
放射状部１３の外面側には、幅方向中心部分に断面凹状の長溝１７が形成されている。
【００１５】
符号１９は別の４つの放射状部を示す。こちらの放射状部１９はカプセル頂部１５からではなく、その近傍の位置から開口端面部５に向かって放射状に延びている。具体的には、図２に示すように、放射状部１９の上側の２つは、それぞれ、上下方向に延びる放射状部１３のカプセル頂部１５より若干上側から左右方向に湾曲状に延び、隣合う放射状部１３の略中間位置までくると、今度は開口端面部５に向かって放射状に延びている。放射状部１９の下側の２つも上下方向に延びる放射状部１３のカプセル頂部１５より下側から同じように延び出ている。したがって、放射状部１３、１９は、カプセル頂部１５やその近傍から放射状に略等間隔で延びていることになる。
なお、放射状部１９の外面にも、放射状部１３と同様に、断面凹状の長溝１７が形成されている。
【００１６】
符号２１は環状連結部を示し、この環状連結部２１はカプセル頂部１５を中心とする環状体になっており、環状端面部５と同軸状になっている。環状連結部２１は合計で８つの放射状部１３、１９と交差して、隣合う放射状部１３、１９どうしを繋いでいる。
符号２３は一対の円弧状連結部を示し、この一対の円弧状連結部２３はカプセル頂部１５を中心とする円弧体になっている。図２に示すように、一対の円弧状連結部２３は、環状連結部２１よりカプセル頂部１５側で、それぞれ左右両側で対称になって、放射状部１９、放射状部１３および放射状部１９を繋いでいる。
【００１７】
カプセルピース３の壁体は、上記したように、開口端面部５、放射状部１３、放射状部１９、環状連結部２１、および円弧状連結部２３からなる骨組み構造体になっており、その余の部分は内外方向に開口した開口部２５になっている。
カプセルピース９の壁体も、同様に、開口端面部１１、放射状部１３、放射状部１９、環状連結部２１、および円弧状連結部２３からなる骨組み構造体からなっており、その余の部分は内外方向に開口した開口部２５になっている。
放射状部１９はカプセル頂部１５からではなく、その近傍から延びて開口端面部５に向かっているので、カプセル頂部１５の近傍にも十分に大きな開口部２５を確保できている。
【００１８】
カプセルピース３とカプセルピース７の嵌合により物品収納用カプセル１になるが、この物品収納用カプセル１の壁体の開口度（＝開口部２５の総面積／骨組み構造体の総面積＋開口部２５の総面積）は５５〜７５％が好ましく、この実施の形態ではその中でも好適な６６％となっている。
このように開口部２５がかなりの面積を占める結果、物品収納用カプセル１を構成する材料を少なくすることができ、材料費を低減できるだけでなく、環境保護にも寄与できることになる。
【００１９】
物品収納用カプセル１の壁体は、上記した軟質樹脂の骨組み構造体になっているので、割れ難い。また、販売機内での撹拌中や払出しの際の落下時にもカプセルが不用意に開いたり変形したりすることもない。その一方で、開口部２５に指を差し込んで骨組み構造体の何れかの部分を挟めば、容易に開くことができる。
どの方向にも開口部２５が万遍無く、しかも大きく形成されているので、誤って飲み込んだ場合にも開口部２５が通気孔としての機能を果たして窒息を確実に防ぐことができる。また、壁体を構成する軟質の合成樹脂は通常は曇っているが、大きく開口しているので、外側から物品収納用カプセル１に収納されたミニチュアフィギュアＴを視認できる。
【００２０】
カプセルピース３、９は、射出成形により形成するが、軟質の合成樹脂で形成されているので、どの方向の壁面側にも開口部２５を形成することができる。
【００２１】
以上、本発明の実施の形態について詳述してきたが、具体的構成は、この実施の形態に限られるものではなく、本発明の要旨を逸脱しない範囲における設計の変更などがあっても発明に含まれる。
例えば、骨組み構造体は、上記した実施の形態に限定されず、カプセルの形状を保持できる範囲で変更できる。例えば、上記した実施の形態では、カプセル頂部１５を上下に向かせたときに、放射状部１３と放射状部１９との間には、縦方向に１列に開口部２５が並んでいるが、さらに縦方向に骨組みを増やして、例えば、カプセル頂部１５側からみて二段目からは開口部２５を２列に並ばせてもよい。上記した実施の形態では、カプセル直径は３５ｍｍ程度を想定しているが、カプセル直径が５５ｍｍや６５ｍｍのように大きい場合には、上記のように骨組みを増やして開口部の大きさを物品が外に飛び出さないように調整することが推奨される。
また、収納する小物品は、上記したようなミニチュアフィギュアのような小型玩具だけに限定されることはなく、カプセルに収納できるもので有れば何でもよい。
【産業上の利用可能性】
【００２２】
本発明の物品収納用カプセルは、大きい開口部が多数形成されているので、合成樹脂の使用量も低減でき、ＣＯ２削減にも寄与する。
【符号の説明】
【００２３】
１…物品収納用カプセル                ３…カプセルピース
５…開口端面部                        ７…環状突起
９…カプセルピース                  １１…開口端面部
１３…放射状部                        １５…カプセル頂部
１７…長溝                            １９…放射状部
２１…環状連結部                      ２３…円弧状連結部
２５…開口部
Ｔ…ミニチュアフィギュア
【図１】
2011170396.tif 000003
【図２】
2011170396.tif 000004
【図３】
2011170396.tif 000005
【図４】
2011170396.tif 000006